(57)【要約】      （修正有）【課題】経由地を経路設定後に案内対象の経由地から削除するための入力操作を容易にする。【解決手段】信号処理装置は、経由地削除操作ボタンにより受け付けられた経由地を削除し、経由地を削除した状態で現在地から目的地に至るまでの案内経路を再探索し、再探索により得た案内経路に従って案内情報を出力する。経由地削除操作ボタンは、案内情報と共に表示部に示されているため、操作は容易に行える。【選択図】図６
2020101525.tif 000002
【特許請求の範囲】
【請求項１】
目的地を示す目的地情報及び経由地を示す経由地情報を入力可能な入力部と、
出発地から前記入力部により入力された前記目的地情報に示される目的地に至る間に、前記入力部により入力された前記経由地情報に示される経由地を経由する案内経路を探索し、当該案内経路に従って案内情報を出力する信号処理装置と、
前記信号処理装置から出力された前記案内情報を表示する表示部とを備えたナビゲーションシステムであって、
前記経由地情報に示される経由地の削除操作を受け付ける経由地削除操作ボタンを前記案内情報と共に前記表示部に示すように構成され、
前記信号処理装置は、前記経由地削除操作ボタンにより受け付けられた経由地を削除し、当該経由地を削除した状態で現在地から前記目的地に至るまでの案内経路を再探索し、再探索により得た案内経路に従って案内情報を出力するように構成されていることを特徴とするナビゲーションシステム。
【請求項２】
請求項１に記載のナビゲーションシステムにおいて、
タッチセンサ及び表示パネルを有するタッチ操作パネルを備え、
前記入力部が前記タッチセンサであり、
前記表示部が前記表示パネルであり、
前記経由地削除操作ボタンは前記表示パネルに表示される画像によって構成され、
前記タッチセンサは、前記表示パネルに表示された前記経由地削除操作ボタンの操作状態を検出するように構成され、
前記信号処理装置は、前記タッチセンサにより前記経由地削除操作ボタンの操作が検出された場合に、経由地を削除するように構成されていることを特徴とするナビゲーションシステム。
【請求項３】
請求項２に記載のナビゲーションシステムにおいて、
前記案内情報には、案内地点における進行方向と、現在地周辺の地図情報とが含まれており、
前記進行方向及び前記地図情報は、前記経由地削除操作ボタンを構成する画像と共に前記表示パネルに表示されるように構成されていることを特徴とするナビゲーションシステム。
【請求項４】
請求項２または３に記載のナビゲーションシステムにおいて、
前記入力部は、経由地を示す経由地情報を複数入力可能に構成され、
前記経由地削除操作ボタンは、複数の経由地のうち、現在地に最も近い経由地の削除操作を受け付けるものであることを特徴とするナビゲーションシステム。
【請求項５】
請求項２から４のいずれか１つに記載のナビゲーションシステムにおいて、
ヘルメットと、
前記ヘルメットに設けられ、前記ヘルメットの装着者の眼前に配置されるコンバイナと、
前記案内情報に基づいて案内画像を生成し、生成した画像を前記コンバイナに表示させるための表示光を出射する表示光出射装置とを備えていることを特徴とするナビゲーションシステム。
【請求項６】
目的地を示す目的地情報及び経由地を示す経由地情報を入力可能な入力部と、
出発地から前記入力部により入力された前記目的地情報に示される目的地に至る間に、前記入力部により入力された前記経由地情報に示される経由地を経由する案内経路を探索し、当該案内経路に従って案内情報を出力する信号処理装置と、
前記信号処理装置から出力された前記案内情報を表示する表示部とを備えたナビゲーションシステムであって、
ヘルメットと、
前記ヘルメットに設けられ、前記ヘルメットの装着者の眼前に配置されるコンバイナと、
前記案内情報に基づいて案内画像を生成し、生成した画像を前記コンバイナに表示させるための表示光を出射する表示光出射装置とを備え、
前記経由地情報に示される経由地の削除操作を受け付ける経由地削除操作ボタンが前記ヘルメットに設けられ、
前記信号処理装置は、前記経由地削除操作ボタンにより受け付けられた経由地を削除し、当該経由地を削除した状態で現在地から前記目的地に至るまでの案内経路を再探索し、再探索により得た案内経路に従って案内情報を出力するように構成されていることを特徴とするナビゲーションシステム。
【発明の詳細な説明】
【技術分野】
【０００１】
本発明は、出発地から経由地を経て目的地に至るまでの案内経路を探索し、当該案内経路に従って案内情報を出力するナビゲーションシステムに関する。
【背景技術】
【０００２】
特許文献１には、ユーザが設定した所望の経由地を案内対象の経由地として設定し、案内対象の経由地を経て出発地から目的地に至るまでの案内経路を探索し、当該案内経路に従って案内情報を出力する信号処理装置を備えたナビゲーションシステムが開示されている。このナビゲーションシステムは、案内対象の経由地から、すでに立ち寄った施設と同じカテゴリーの経由地を削除する機能を備えている。
【先行技術文献】
【特許文献】
【０００３】
【特許文献１】特開２００７−１５５４３７号公報
【発明の概要】
【発明が解決しようとする課題】
【０００４】
しかし、特許文献１では、すでに立ち寄った施設とは別のカテゴリーの経由地を経由したくなくなった場合、その経由地を案内対象の経由地から削除するために、経由地の設定画面を表示手段に表示させる操作や、削除対象の経由地を選択する操作を行う必要があり、入力操作が煩雑になる。
【０００５】
本発明は、かかる点に鑑みてなされたものであり、その目的とするところは、経由地を経路設定後に削除するための入力操作を容易にすることにある。
【課題を解決するための手段】
【０００６】
第１の発明は、目的地を示す目的地情報及び経由地を示す経由地情報を入力可能な入力部と、出発地から前記入力部により入力された前記目的地情報に示される目的地に至る間に、前記入力部により入力された前記経由地情報に示される経由地を経由する案内経路を探索し、当該案内経路に従って案内情報を出力する信号処理装置と、前記信号処理装置から出力された前記案内情報を表示する表示部とを備えたナビゲーションシステムであって、前記経由地情報に示される経由地の削除操作を受け付ける経由地削除操作ボタンを前記案内情報と共に前記表示部に示すように構成され、前記信号処理装置は、前記経由地削除操作ボタンにより受け付けられた経由地を削除し、当該経由地を削除した状態で現在地から前記目的地に至るまでの案内経路を再探索し、再探索により得た案内経路に従って案内情報を出力するように構成されていることを特徴とする。
【０００７】
この構成によれば、入力部により目的地情報及び経由地情報が入力されると、信号処理装置が、出発地から経由地を経て目的地に至る案内経路を探索する。経由地は複数入力することができる。探索された案内経路に従って案内情報が出力されるので、ユーザはその案内情報に基づいて経由地へ立ち寄ることや目的地に到着することが可能になる。案内経路の設定後、経由地を経由したくなくなることがある。この場合、ユーザは、経由地削除操作ボタンを操作することで所望の経由地を削除することが可能になる。経由地削除操作ボタンは、案内情報と共に表示部に示されているので、操作は容易に行える。
【０００８】
第２の発明は、タッチセンサ及び表示パネルを有するタッチ操作パネルを備え、前記入力部が前記タッチセンサであり、前記表示部が前記表示パネルであり、前記経由地削除操作ボタンは前記表示パネルに表示される画像によって構成され、前記タッチセンサは、前記表示パネルに表示された前記経由地削除操作ボタンの操作状態を検出するように構成され、前記信号処理装置は、前記タッチセンサにより前記経由地削除操作ボタンの操作が検出された場合に、経由地を削除するように構成されていることを特徴とする。
【０００９】
この構成によれば、経由地削除操作ボタンが案内情報と共に表示パネルに表示されることになり、ユーザはこの経由地削除操作ボタンを操作するだけで信号処理装置が経由地を削除する。したがって、ユーザによる経由地の削除操作がより一層容易に行える。
【００１０】
第３の発明は、前記案内情報には、案内地点における進行方向と、現在地周辺の地図情報とが含まれており、前記進行方向及び前記地図情報は、前記経由地削除操作ボタンを構成する画像と共に前記表示パネルに表示されるように構成されていることを特徴とする。
【００１１】
この構成によれば、案内地点における進行方向、地図及び経由地削除操作ボタンを構成する画像が共通の表示パネルに表示されるので、ユーザは、次の案内地点における進行方向や周辺の地図を参考にしながら、経由地を削除するか否か判断することができる。
【００１２】
第４の発明は、前記入力部は、経由地を示す経由地情報を複数入力可能に構成され、前記経由地削除操作ボタンは、複数の経由地のうち、現在地に最も近い経由地の削除操作を受け付けるものであることを特徴とする。
【００１３】
この構成によれば、複数の経由地が設定されている場合に、経由地削除操作ボタンを操作すると、次に到達する予定であった経由地が削除されることになるので、削除対象の経由地をユーザが把握しやすくなる。
【００１４】
第５の発明は、ヘルメットと、前記ヘルメットに設けられ、前記ヘルメットの装着者の眼前に配置されるコンバイナと、前記案内情報に基づいて案内画像を生成し、生成した画像を前記コンバイナに表示させるための表示光を出射する表示光出射装置とを備えていることを特徴とする。
【００１５】
この構成によれば、例えば自動二輪車等の運転者がナビゲーションシステムを利用することができる。この場合、案内画像がコンバイナに表示されることになるが、このコンバイナはヘルメットに設けられるものであることから、小型化する必要があり、一度に表示できる情報量は限定される。本構成では、経由地削除操作ボタンがコンバイナとは別のタッチ操作パネルに表示されることになるので、コンバイナに表示する情報量に影響を与えることはない。
【００１６】
第６の発明は、目的地を示す目的地情報及び経由地を示す経由地情報を入力可能な入力部と、出発地から前記入力部により入力された前記目的地情報に示される目的地に至る間に、前記入力部により入力された前記経由地情報に示される経由地を経由する案内経路を探索し、当該案内経路に従って案内情報を出力する信号処理装置と、前記信号処理装置から出力された前記案内情報を表示する表示部とを備えたナビゲーションシステムであって、ヘルメットと、前記ヘルメットに設けられ、前記ヘルメットの装着者の眼前に配置されるコンバイナと、前記案内情報に基づいて案内画像を生成し、生成した画像を前記コンバイナに表示させるための表示光を出射する表示光出射装置とを備え、前記経由地情報に示される経由地の削除操作を受け付ける経由地削除操作ボタンが前記ヘルメットに設けられ、前記信号処理装置は、前記経由地削除操作ボタンにより受け付けられた経由地を削除し、当該経由地を削除した状態で現在地から前記目的地に至るまでの案内経路を再探索し、再探索により得た案内経路に従って案内情報を出力するように構成されていることを特徴とする。
【００１７】
この構成によれば、例えば自動二輪車等の運転者がナビゲーションシステムを利用することができる。そして、ユーザは、経由地を削除したくなったとき、経由地削除操作ボタンを操作することで所望の経由地を削除することが可能になる。経由地削除操作ボタンはヘルメットに設けられているので、操作は容易に行える。
【発明の効果】
【００１８】
本発明によれば、経由地を削除したくなったときに削除操作を容易にすることができる。
【図面の簡単な説明】
【００１９】
【図１】本発明の実施形態に係るナビゲーションシステムの構成を示す外観図である。
【図２】本発明の実施形態に係るナビゲーションシステムの構成を示す機能ブロック図である。
【図３】画像出力部により出力される案内画像を示す図である。
【図４】カーナビアプリの実行時にスマートフォンのマイクロコンピュータによって行われる処理を示すフローチャートである。
【図５】案内動作中にタッチ操作パネルに表示されるユーザインターフェースを示す図である。
【図６】案内動作中にスマートフォンのタッチ操作パネルが操作されたときにスマートフォンのマイクロコンピュータによって実行される処理を示すフローチャートである。
【図７】案内動作中にヘッドアップディスプレイ装置により実行される動作を示すフローチャートである。
【発明を実施するための形態】
【００２０】
以下、本発明の実施形態について図面に基づいて説明する。
【００２１】
図１は、本発明の実施形態に係るナビゲーションシステム１を示す。このナビゲーションシステム１は、通信機器としてのスマートフォン（携帯電話）１０と、ヘルメット２０と、コンバイナ２６と、表示光出射装置３０とを備えており、自動二輪車用のものである。尚、ナビゲーションシステム１は、自動二輪車以外の乗物、例えば、水上バイク、自転車、スノーモービル（雪上バイク）などにおいても使用することが可能である。
【００２２】
スマートフォン１０は、電話機能及び電話回線を利用したデータ通信機能を有するとともに、図２に示すように、Ｂｌｕｅｔｏｏｔｈ（登録商標）を用いた無線通信を行うＬＡＮインターフェース（無線通信インターフェース）１１と、ＧＰＳ受信機１２と、携帯電話回線を介して音声信号の送受信を行うＷＡＮインターフェース１３と、信号処理装置としてのマイクロコンピュータ１４と、記憶部１０ａと、タッチ操作パネル１０ｂとを備えている。このスマートフォン１０のマイクロコンピュータ１４は、スマートフォン１０のＯＳであるモバイルオペレーションシステム１４ａを稼働させるとともに、モバイルオペレーションシステム１４ａ上で、ＧＰＳ受信機１２により取得された位置情報等を用いて稼働するカーナビゲーションサービスアプリケーション（以下、「カーナビアプリ」と呼ぶ）１４ｂを実行可能に構成されている。モバイルオペレーションシステム１４ａは、プログラムを読み込んで実行することにより、スマートフォン１０上で稼働させることができる。カーナビアプリ１４ｂもプログラムを読み込んで実行することで所定の動作を行う。
【００２３】
カーナビアプリ１４ｂは、独自の地図情報を地図情報データとして保有していてもよいし、スマートフォン１０の記憶部１０ａに記憶されている地図情報データを利用してもよいし、必要な地図情報データをインターネット経由でダウンロードして用いてもよい。モバイルオペレーションシステム１４ａやカーナビアプリ１４ｂのプログラム、地図情報は記憶部１０ａに記憶させておくことができる。地図情報には、道路情報や交差点名、施設名等も含まれている。
【００２４】
タッチ操作パネル１０ｂは、例えば感圧式の操作検出手段であるタッチセンサ（入力部）１０ｃと、表示パネル（表示部）１０ｄとを含んでいる。表示パネル１０ｄは、例えば液晶表示パネルや有機ＥＬ（Electro Luminescence）表示パネル等で構成されており、マイクロコンピュータ１４に接続され、マイクロコンピュータ１４によって制御される。モバイルオペレーションシステム１４ａで生成された各種ユーザインターフェース、各種画像、カーナビアプリ１４ｂの実行画面、各種設定画面等は、表示パネル１０ｄに表示される。表示パネル１０ｄの表面に透明なタッチセンサ１０ｃが積層された状態で設けられている。タッチセンサ１０ｃはマイクロコンピュータ１４に接続され、検出信号をマイクロコンピュータ１４に出力する。これにより、表示パネル１０ｄの表面のどの部分にユーザがタッチしたのかをマイクロコンピュータ１４によって検出可能になっている。
【００２５】
タッチセンサ１０ｃにより、目的地を示す目的地情報及び経由地を示す経由地情報を入力することが可能になっている。目的地情報及び経由地情報の入力操作は従来から周知の手法を用いることができるので詳細な説明は省略するが、概略は以下のとおりである。すなわち、カーナビアプリ１４ｂは、目的地情報の入力を促すユーザインターフェースを生成して表示パネル１０ｄに表示させることができるようになっている。目的地情報の入力を促すユーザインターフェースは、例えば地名、住所、施設名、電話番号、交差点名等を入力可能な領域を備えており、このユーザインターフェースが表示パネル１０ｄに表示された状態で、ユーザがタッチセンサ１０ｃにタッチして操作を行うことで、所望の目的地情報を入力することができる。経由地情報についても基本的には目的地情報の入力と同じであり、経由地情報の入力を促すユーザインターフェースを生成して表示パネル１０ｄに表示させた状態でユーザがタッチセンサ１０ｃにタッチして操作を行うことで、所望の経由地情報を入力することができる。
【００２６】
経由地情報が目的値情報と異なっている点は、目的値情報は１つだけ入力できるのに対し、経由地情報は複数入力可能になっている点である。経由地情報を複数入力した場合、経由する順番を設定することができるようになっており、この経由する順番も経由地情報に含まれる。経由する順番もユーザがタッチセンサ１０ｃにタッチして操作を行うことで設定可能である。入力された目的地情報及び経由地情報は、記憶部１０ａに記憶される。尚、経由地情報は入力されていなくてもよい。また、出発地は、自動的に現在地として設定されるようになっているが、ユーザが目的地情報の入力と同様にして所望の出発地を入力可能にしてもよい。
【００２７】
ＧＰＳ受信機１２は、従来から周知の現在地測位用の機器であり、ほぼリアルタイムで高精度に現在地を測位することができるように構成されている。ＧＰＳ受信機１２で得られた位置情報はモバイルオペレーションシステム１４ａやカーナビアプリ１４ｂで利用されるようになっている。ＧＰＳ受信機１２で得られた位置情報に基づいて移動速度も算出することができる。スマートフォン１０は、ヘルメット２０を装着したユーザ（自動二輪車のライダー）が所持していることが前提であり、これにより、ユーザ、即ち自動二輪車の現在位置情報及び速度情報を取得することができる。スマートフォン１０は、自動二輪車に着脱可能に取り付けられていてもよいし、ＧＰＳ信号を受信可能なバッグ等に収容されていてもよい。
【００２８】
スマートフォン１０は、カーナビアプリ１４ｂを用い、ＧＰＳ受信機１２で得られた位置情報（現在位置情報）と、記憶部１０ａに記憶されている目的地情報及び経由地情報とに基づいて現在地から目的地までの経路を自動で探索し、案内経路の設定を行うことができるように構成されている。すなわち、カーナビアプリ１４ｂは、現在地である出発地をＧＰＳ受信機１２で特定すると、特定された出発地から、既に入力されている目的地情報に示される目的地に至る間に、経由地情報に示される経由地を経由するように案内経路を探索する。このような探索エンジンは周知である。経由地情報が入力されていない場合には、現在地から目的地までの経路を自動で探索する。経由地情報が、例えば経由する順番に、経由地１、経由地２、…と複数入力されている場合には、現在地、経由地１、経由地２、…、目的地を順に結ぶような案内経路を探索する。
【００２９】
カーナビアプリ１４ｂは、案内中、現在位置が予め設定された案内経路上にあるか否かを所定間隔で判定しており、現在位置が案内経路から外れた場合には案内経路の再探索を自動的に実行する、いわゆるオートリルート機能も搭載されている。オートリルート機能は、経由地が削除された場合に、経由地を削除した状態で現在地から目的地に至るまでの案内経路を再探索するように構成されている。また、オートリルート機能は、経由地が追加された場合に、経由地を追加した状態で現在地から目的地に至るまでの案内経路を再探索するように構成されている。
【００３０】
また、カーナビアプリ１４ｂは、案内経路の設定後、現在地から目的地までの距離（残距離）及び現在地への到着予想時刻（所要時間）、現在地から各経由地までの距離及び各経由地への到着予想時刻等算出することもできるように構成されている。また、現在地から目的地までの案内経路上には、例えば交差点や分岐等の案内地点が複数存在しており、各案内地点での進行方向も案内経路の設定によって決定されている。カーナビアプリ１４ｂは、地図情報と現在地情報とに基づいて、現在地から次の案内地点までの距離及び現在地から次の案内地点に到達するまでの時間を算出することができる。案内地点は経由地の場合もあり得る。
【００３１】
したがって、カーナビアプリ１４ｂは、上述した各情報、例えば、現在地から所定の案内地点までの距離を示す距離情報と、当該案内地点における進行方向を示す方向情報と、現在地から所定の案内地点への道路上の移動速度を示す速度情報とを所定の時間間隔（例えば１秒毎）で取得することが可能になる。また、カーナビアプリ１４ｂは、現在地情報に基づいて、現在地及びその周辺を含む地図情報を読み込むことができる。現在地の周辺とは、地図の縮尺によっても異なるが、現在地を中心とした半径１００ｍ〜５ｋｍの地域が含まれる範囲とすることができる。案内地点における進行方向を示す方向情報と、現在地周辺の地図情報とは、案内経路を案内する際に使用される案内情報であり、ユーザに提示される情報である。また、案内情報には、現在地から目的値までの距離、現在地から各経由地までの距離、現在地への到着予想時刻、各経由地への到着予想時刻等を含むことができる。方向情報には、進行すべきレーン（車線）を案内するレーンガイダンス情報も含まれている。
【００３２】
スマートフォン１０のマイクロコンピュータ１４は、カーナビアプリ１４ｂで取得した案内情報、例えば距離情報、方向情報、速度情報、到着予想時刻、残距離、地図情報等を、無線通信インターフェース１１による無線通信によって所定の時間間隔（例えば１秒毎）で送信（出力）するようになっている。この案内情報は、案内経路に従って出力される。例えば、現在地から最も近い案内地点に近づくと、案内地点までの距離及び案内地点における進行方向を含む案内情報を出力し、その案内地点を過ぎたら、次の案内地点までの距離及び案内地点における進行方向を含む案内情報を出力する。経由地が近づいてきたら、経由地までの距離や経由地の方向を含む案内情報を出力し、また、目的地が近づいてきたら、目的地までの距離や目的地の方向を含む案内情報を出力する。
【００３３】
案内地点に名称がある場合には、その名称も無線通信インターフェース１１による無線通信によって送信するようになっている。カーナビアプリ１４は、現在地から最も近い第１の案内地点における進行方向を示す第１の情報と、第１の案内地点の次に到達予定の第２の案内地点における進行方向を示す第２の情報とを生成することができる。また、カーナビアプリ１４は、第１の案内地点と第２の案内地点との距離を示す案内地点間距離情報と、現在地から第１の案内地点までの距離を示す現在地間距離情報とを生成することもできる。さらに、カーナビアプリ１４は、案内地点間距離情報及び現在地間距離情報に基づいて、現在地から第２の案内地点までの距離を示す距離情報も生成することができる。尚、目的地が設定されていない（経路設定がなされていない）場合には、距離情報、方向情報は送信しない。
【００３４】
カーナビアプリ１４は、設定された経路上に渋滞があるか否か等のリアルタイム情報も通信回線を利用して取得できるように構成されている。リアルタイム情報も無線通信インターフェース１１による無線通信によって送信するようになっている。
【００３５】
スマートフォン１０のマイクロコンピュータ１４は、上記案内情報を表示パネル１０ｄに対して所定の時間間隔（例えば１秒毎）で出力する。図５に示すように、マイクロコンピュータ１４は、案内情報表示用ユーザインターフェース３４を生成して表示パネル１０ｄに表示させることで、案内情報を、スマートフォン１０を介してユーザに提示する。
【００３６】
案内情報表示用ユーザインターフェース３４には、地図表示領域３４ａと、方向距離表示領域３４ｂと、経由地削除操作ボタン３４ｃとが設けられているので、経由地削除操作ボタン３４ｃは地図情報、方向情報及び距離情報と共に表示パネル１０ｄに表示されることになる。地図表示領域３４ａには、マイクロコンピュータ１４から出力された現在地周辺の地図情報が画像で表示される。地図表示領域３４ａには、自車位置指示マーク３４ｄが地図に重なった状態で表示される。さらに、地図表示領域３４ａには、案内経路を示す経路指示線３４ｅも地図に重なった状態で表示される。
【００３７】
方向距離表示領域３４ｂには、現在地から次の案内地点までの距離が表示される第１領域３４ｆと、次の案内地点における進行方向を示す矢印が表示される第２領域３４ｇとが設けられている。第１領域３４ｆに表示される距離は現在地の更新に応じて更新され、また案内地点が変更になることによっても更新される。第２領域３４ｇに表示される矢印は案内地点が変更になることによっても更新される。
【００３８】
経由地削除操作ボタン３４ｃは、表示パネル１０ｄに表示される画像によって構成された仮想的なボタンであり、いわゆる物理ボタンではない。タッチセンサ１０ｃは、表示パネル１０ｄに表示された経由地削除操作ボタン３４ｃの操作状態を検出するように構成されている。したがって、ユーザが表示パネル１０ｄに表示された画像である経由地削除操作ボタン３４ｃをタッチする操作を行うと、タッチセンサ１０ｃがその操作を検出してマイクロコンピュータ１４に出力し、マイクロコンピュータ１４はタッチセンサ１０ｃの出力に基づいて経由地削除操作ボタン３４ｃの操作を検出できる。
【００３９】
経由地削除操作ボタン３４ｃは、経由地情報に示される経由地の削除操作を受け付けるボタンであり、複数の経由地が存在する場合、複数の経由地のうち、現在地に最も近い経由地の削除操作を受け付ける。したがって、図５に示すように、経由地削除操作ボタン３４ｃには「次経由地スキップ」と表示されている。この表示は、現在地に最も近い経由地の削除するためのボタンであることをユーザに示すための表示である。この表示を行うことにより、ユーザは、経由地削除操作ボタン３４ｃを、現在地に最も近い経由地の削除を行うためのボタンであると認識できる。経由地が１つだけである場合には、その経由地を削除するボタンとなる。尚、複数の経由地が存在する場合、複数の経由地のうち、任意の経由地を削除できるようにしてもよい。
【００４０】
マイクロコンピュータ１４は、経由地削除操作ボタン３４ｃにより受け付けられた経由地を削除する。例えば、現在地に近い順に、経由地１、経由地２、経由地３と入力されていた場合、マイクロコンピュータ１４が経由地削除操作ボタン３４ｃの操作を検出すると、経由地１を削除し、経由地２及び経由地３を残す。そして、カーナビアプリ１４ｂは、オートリルート機能により、経由地１を削除した状態で現在地から、経由地２及び経由地３を経て目的地に至るまでの案内経路を再探索する。経由地１が削除されると、現在地に最も近い経由地は経由地２になるので、次に経由地削除操作ボタン３４ｃが操作されると、経由地２が削除される。そして、カーナビアプリ１４ｂは、オートリルート機能により、経由地を削除した状態で現在地から、経由地３を経て目的地に至るまでの案内経路を再探索する。
【００４１】
図１に示すように、ヘルメット２０の前面側には、ヘルメット装着者の額部と顎部との間に対向するように窓孔２１が形成されている。該窓孔２１の周縁部の左右両側には、透光性を有するシールド２２が上下方向に回動することで窓孔２１を開閉するように取り付けられている。ヘルメット２０の外表面における窓孔２１よりもヘルメット装着者から見て左側、すなわちヘルメット装着者の耳に対応する位置には、第１及び第２のスイッチ２３，２４を含む複数のスイッチやボタン等の操作部が配設されている。また、ヘルメット２０の窓孔２１の上縁部における左右方向中央よりもヘルメット装着者から見て右寄りの箇所には、半透明の板状のコンバイナ２６が、取付部材２７を介して内側から取り付けられている。コンバイナ２６は、ユーザの眼前に配置されている。ヘルメット２０の窓孔２１の下方には、表示光出射装置３０と、当該表示光出射装置３０によって出射された表示光をコンバイナ２６に投射するミラー２８とが内蔵されている。表示光出射装置３０とコンバイナ２６とミラー２８とで、ヘッドアップディスプレイ装置４０が構成されている。
【００４２】
表示光出射装置３０は、図２に示すように、Ｂｌｕｅｔｏｏｔｈ（登録商標）を用いてスマートフォン１０と通信可能な無線通信部としてのＢｌｕｅｔｏｏｔｈモジュール３１と、Ｂｌｕｅｔｏｏｔｈモジュール３１により受信された情報に基づいて、コンバイナ２６に表示させる画像を生成し、生成した画像をコンバイナ２６に表示させるための表示光を出射する画像出力部３２とを備えている。表示光出射装置３０は、第１のスイッチ２３が長押しされることで、起動するようになっている。
【００４３】
Ｂｌｕｅｔｏｏｔｈモジュール３１は、所定の案内地点までの距離を示す距離情報と、当該案内地点における進行方向を示す方向情報とをスマートフォン１０のＬＡＮインターフェース１１から１秒毎に受信する。
【００４４】
画像出力部３２は、Ｂｌｕｅｔｏｏｔｈモジュール３１により受信された距離情報及び方向情報に基づいて、図３に示すような案内画像を生成し、コンバイナ２６に案内画像を表示させるための表示光を出射する。画像出力部３２は、マイクロコンピュータ３２ａと、フラッシュＲＯＭ（Read Only Memory）３２ｂと、マイクロコンピュータ３２ａによる指示に基づいて、フラッシュＲＯＭ３２ｂに記憶されている図柄等を組み合わせて案内画像を生成するＧＤＣ（Graphics Display Controller）３２ｃと、ＧＤＣ３２ｃにより生成された案内画像をコンバイナ２６に表示させるための表示光を出射するＬＣＯＳ（Liquid Crystal on Silicon）３２ｄとを備えている。画像出力部３２による表示光の出射は、第１のスイッチ２３が短押しされることで、強制的に停止できるようになっている。
【００４５】
図３に示す案内画像３３は、方向距離表示領域３３Ａと、各種情報表示領域３３Ｂとに区画することができる。この例では、方向距離表示領域３３Ａが案内画像３３の上半部に設定され、各種情報表示領域３３Ｂが案内画像３３の下半部に設定されているが、これに限られるものはない。
【００４６】
方向距離表示領域３３Ａには、現在地から所定の案内地点までの距離を表示する距離表示領域３３ａと、所定の案内地点における進行方向を表示する方向表示領域３３ｂとが左右方向に並ぶように設けられている。距離表示領域３３ａでは、所定の案内地点までの距離が遠い場合には単位が「ｋｍ」で表示され、所定の案内地点までの距離が１ｋｍを未満になると単位が「ｍ」で表示されるようにしてもよい。方向表示領域３３ｂには、矢印等の進行方向指示画像が表示される。各種情報表示領域３３Ｂには、現在地から目的地まで所要時間の推定値（到着予想時刻）３３ｃを表示することができる。また、各種情報表示領域３３Ｂには現在時刻を表示させるようにしてもよい。現在時刻は、スマートフォン１０から取得するようにしてもよいし、表示光出射装置３０が持つ時刻情報から取得するようにしてもよい。
【００４７】
上述のように構成されたナビゲーションシステム１では、スマートフォン１０のマイクロコンピュータ１４が、カーナビアプリ１４ｂの実行により、図４のフローチャートに示す処理を行う。
【００４８】
まず、ステップＳ００１において、目的地設定を促すユーザインターフェース及び経由地設定を促すユーザインターフェースを表示パネル１０ｄに表示する。そして、ステップＳ００２において、ユーザによる目的地及び経由地を設定する入力操作がタッチセンサ１０ｂによってなされると、設定された目的地及び経由地を案内対象の目的地及び経由地として記憶部１０ａに記憶する。
【００４９】
その後、ステップＳ００３において、ステップＳ００２で記憶した案内対象の経由地を経て出発地から目的地に至るまでの案内経路を探索し、探索により得た案内経路を記憶部１０ａに記憶する。
【００５０】
案内経路の設定及び記憶処理の後、ステップＳ００４において、ステップＳ００３で記憶した案内経路に従って、案内動作を実行する。案内動作中、マイクロコンピュータ１４は、ＧＰＳ受信機１２を用いて、探索により得た案内経路に従って、次の交差点等の所定の案内地点までの距離を示す距離情報と、当該案内地点における進行方向を示す方向情報とを１秒毎に取得する。そして、取得した距離情報及び方向情報に基づいて、現在地周辺の地図、案内地点までの距離、及び案内地点における進行方向等を案内情報として表示パネル１０ｄに出力し表示させる。案内動作中、表示パネル１０ｄには図５に示すような画像を表示させることができるが、この画像は表示させなくてもよい。ユーザはコンバイナ２６を介して距離情報及び方向情報を取得できるからである。
【００５１】
また、案内動作中、ユーザによるカーナビアプリ１４ｂの終了操作がスマートフォン１０になされると、マイクロコンピュータ１４は、案内動作を終了する。これがステップＳ００５である。
【００５２】
また、ステップＳ００４におけるスマートフォン１０による案内動作の実行中に、図５に示す経由地削除操作ボタン３４ｃが操作されると、スマートフォン１０のマイクロコンピュータ１４は、図６に示すフローチャートの処理を行う。まず、ステップＳ００６において、記憶した案内対象の経由地から、次に到達予定の経由地を削除する。そして、ステップＳ００７において、オートリルート機能によって案内経路を再探索し、再探索により得た案内経路を記憶する。
【００５３】
ステップＳ００７の実行後、マイクロコンピュータ１４は、ステップＳ００７における再探索により得た案内経路に従って、現在地周辺の地図、次の案内地点までの距離、及び案内地点における進行方向等を案内情報として表示パネル１０ｄに出力するとともに、取得した距離情報と方向情報とを、ＬＡＮインターフェース１１による無線通信によって案内情報として出力し、コンバイナ２６に表示する。
【００５４】
このように、ユーザは、スマートフォン１０の表示パネル１０ｄに表示されている経由地削除操作ボタン３４ｃを操作するだけで、案内対象の経由地から、次に到達予定の経由地を削除することができる。したがって、スマートフォン１０に対し、経由地設定を促すユーザインターフェースを表示させる操作や、削除対象の経由地を選択する操作を行う必要がないので、経由したくなくなった経由地を案内対象の経由地から削除するための入力操作を容易にできる。
【００５５】
一方、自動二輪車等の運転者が、案内動作中のスマートフォン１０を所持した状態で、ヘルメット２０を装着して第１のスイッチ２３を長押しすると、表示光出射装置３０が起動する。カーナビアプリ１４ｂを起動させた状態のスマートフォン１０は、１秒毎に更新される各種情報を無線通信インターフェース１１による無線通信によって送信している。表示光出射装置３０は、起動後、Ｂｌｕｅｔｏｏｔｈモジュール３１によるスマートフォン１０との無線通信が成功すると、案内画像を生成して出力する。経路設定がなされたスマートフォン１０との無線通信が行われている間、図７のフローチャートに示す動作を繰り返し実行する。経路が消去されるとこの動作は停止する。
【００５６】
この動作の開始後、まず、ステップＳ１０１において、画像出力部３２のマイクロコンピュータ３２ａが、カウント値ｋを１に初期化する。この値は便宜上設定しているだけである。
【００５７】
次に、ステップＳ１０２では、Ｂｌｕｅｔｏｏｔｈモジュール３１が、スマートフォン１０により送信された案内情報等を受信する。その後、ステップＳ１０３に進む。
【００５８】
ステップＳ１０３では、画像出力部３２のマイクロコンピュータ３２ａが、Ｂｌｕｅｔｏｏｔｈモジュール３１により直近に受信された距離Ｄ（現在地から次の案内地点までの距離）が、所定の基準距離Ｒｋ未満であるか否かを判定する。ここで、Ｒ１〜Ｒ６は、順に、５ｋｍ、４ｋｍ、３ｋｍ、２ｋｍ、１ｋｍ、０．５ｋｍに設定されており、Ｒ１が最も長く、Ｒ６が最も短くなっている。Ｒ１〜Ｒ６の距離は、上記した距離に限られるものではなく、任意の距離に設定することができる。また、Ｒｋの数は、６に限られるものではなく、２以上の任意の数に設定することができる。
【００５９】
ステップＳ１０３でＮＯと判定された場合は、現在地から次の案内地点までの距離Ｄが所定の基準距離Ｒｋ以上であり、この場合は、ステップＳ１０２に進む。Ｒｋが最も長いＲ１のときには基準距離が５ｋｍとなり、このときにステップＳ１０３でＮＯと判定されたということは、現在地から次の案内地点まで５ｋｍ以上離れているということである。つまり、現在地から次の案内地点までの距離が十分に長いので、次の案内地点の案内を行う必要がない状況であり、この場合には、ステップＳ１０８やステップＳ１０９の案内画像出力ステップには進まない。これにより、ユーザが煩わしさを感じないようになる。ステップＳ１０３でＮＯと判定されると、ステップＳ１０２に戻り、スマートフォン１０から案内情報等を受信する。尚、進行方向を示す方向情報は、案内地点が変更にならない限り変わらないので、方向情報の受信は省略することができる。
【００６０】
その後、ステップＳ１０３に進み、上述したように画像出力部３２のマイクロコンピュータ３２ａが、距離Ｄが所定の基準距離Ｒｋ未満であるか否かを判定する。最も長い基準距離であるＲ１は、例えば１０ｋｍ以下に設定するのが好ましく、より好ましくは８ｋｍ以下、さらに好ましいのは５ｋｍ以下である。Ｒ１は、３ｋｍ以上に設定するのが好ましい。
【００６１】
一方、ステップＳ１０３においてＹＥＳと判定されて距離Ｄが所定の基準距離Ｒｋ未満である場合にはステップＳ１０７に進み、画像出力部３２のマイクロコンピュータ３２ａが、カウント値ｋ＝６であるか否かを判定する。
【００６２】
ステップＳ１０７でＹＥＳと判定されてカウント値ｋが６であるときにはステップＳ１０８に進む。ステップＳ１０７からステップＳ１０８に進むということは、現在地から次の案内地点までの距離Ｄが０．５ｋｍ未満であり、次の案内地点に到達するまでの時間が短いということである。ステップＳ１０８では、画像出力部３２が図３に示す案内画像３３を生成し、コンバイナ２６に当該案内画像３３を表示させるための表示光を出射する画像出力処理を行う。これはＤ＝０となるまで、即ち案内地点に到達するまで行う。これにより、所定の動作が終了する。この動作の終了後は、次の案内地点を案内する案内情報が同様に表示される。
【００６３】
一方、ステップＳ１０７でＮＯと判定されるとステップＳ１０９に進む。ステップＳ１０７からステップＳ１０９に進むということは、現在地から次の案内地点までの距離Ｄが０．５ｋｍ以上であり、次の案内地点に到達するまでの時間が長いということである。ステップＳ１０９では、案内画像３３を１０秒間だけ出力する。これにより、ユーザが煩わしさを感じにくくなる。
【００６４】
ステップＳ１１０では、画像出力部３２のマイクロコンピュータ３２ａが、カウント値ｋに１を加算してステップＳ１０２に戻り、スマートフォン１０から各種情報を受信する。その後、ステップＳ１０３に進む。ステップＳ１０３において、ＲｋがＲ２になっていれば、現在地から次の案内地点までの距離Ｄが４ｋｍ未満であるか否かを判定し、ＲｋがＲ３になっていれば、現在地から次の案内地点までの距離Ｄが３ｋｍ未満であるか否かを判定し、ＲｋがＲ４になっていれば、現在地から次の案内地点までの距離Ｄが２ｋｍ未満であるか否かを判定し、ＲｋがＲ５になっていれば、現在地から次の案内地点までの距離Ｄが１ｋｍ未満であるか否かを判定し、ＲｋがＲ６になっていれば、現在地から次の案内地点までの距離Ｄが０．５ｋｍ未満であるか否かを判定することになる。
【００６５】
例えば、現在地から次の案内地点までの距離Ｄが５ｋｍ以上離れていて、そこから次の案内地点へ向かって走行していると仮定する。ステップＳ１０３における判定の基準距離はＲ１である。現在地から次の案内地点までの距離Ｄが５ｋｍ未満になると、ステップＳ１０３でＹＥＳとなり、ステップＳ１０７でＮＯと判定されてステップＳ１０９で１０秒間だけ案内画像３３が表示され（通常出力処理）、ステップＳ１１０でＲｋがＲ２となり、ステップＳ１０２に進む。通常出力処理の開始前、及び通常出力処理の終了後は、表示光の出射を停止する停止処理が行われる。
【００６６】
次の案内地点に更に近づき、現在地から次の案内地点までの距離Ｄが４ｋｍ未満になると、ステップＳ１０３においてＲ２を基準距離として判定されるのでＹＥＳとなり、ステップＳ１０７でＮＯと判定されてステップＳ１０９で１０秒間だけ案内画像３３が表示され、ステップＳ１１０でＲｋがＲ３となり、ステップＳ１０２に進む。
【００６７】
次の案内地点に更に近づき、現在地から次の案内地点までの距離Ｄが３ｋｍ未満になると、ステップＳ１０３においてＲ３を基準距離として判定されるのでＹＥＳとなり、ステップＳ１０７でＮＯと判定されてステップＳ１０９で１０秒間だけ案内画像３３が表示され、ステップＳ１１０でＲｋがＲ４となり、ステップＳ１０２に進む。その後、次の案内地点に更に近づき、現在地から次の案内地点までの距離Ｄが２ｋｍ未満になると、ステップＳ１０３においてＲ４を基準距離として判定されるのでＹＥＳとなり、ステップＳ１０７でＮＯと判定されてステップＳ１０９で１０秒間だけ案内画像３３が表示され、ステップＳ１１０でＲｋがＲ５となり、ステップＳ１０２に進む。その後、次の案内地点に更に近づき、現在地から次の案内地点までの距離Ｄが１ｋｍ未満になると、ステップＳ１０３においてＲ５を基準距離として判定されるのでＹＥＳとなり、ステップＳ１０７でＮＯと判定されてステップＳ１０９で１０秒間だけ案内画像３３が表示され、ステップＳ１１０でＲｋがＲ６となり、ステップＳ１０２に進む。
【００６８】
その後、次の案内地点に更に近づき、現在地から次の案内地点までの距離Ｄが０．５ｋｍ未満になると、ステップＳ１０３においてＲ６を基準距離として判定されるのでＹＥＳとなり、ステップＳ１０７では、カウント値ｋ＝６であるので、ＹＥＳと判定されてステップＳ１０８に進み、ステップＳ１０８において案内画像３３を案内地点まで表示させることができる。
【００６９】
以上説明したように、この実施形態によれば、案内経路の設定後、経由地を削除したくなった場合、ユーザは、経由地削除操作ボタン３４ｃを操作することで所望の経由地を削除することができる。この経由地削除操作ボタン３４ｃは、案内情報と共にスマートフォン１０の表示パネル１０ｄに示されているので、操作を容易に行うことができる。
【００７０】
また、本実施形態では、経由地削除操作ボタン３４ｃを非物理ボタンとしてスマートフォン１０に表示させるようにしたが、経由地削除操作ボタンは、ヘルメット２０に設けてもよい。例えば、ヘルメット２０の第２のスイッチ２４を経由地削除操作ボタンとし、第２のスイッチ２４が押されると、ヘッドアップディスプレイ装置３０のマイクロコンピュータ３２ａがＢｌｕｅｔｏｏｔｈモジュール３１による無線通信によって、第２のスイッチ２４が押されたことを示す情報をスマートフォン１０のマイクロコンピュータ１４へ送信する。スマートフォン１０のマイクロコンピュータ１４はＬＡＮインターフェース１１による無線通信によって第２のスイッチ２４が押されたことを示す情報を受信し、図６に示すフローチャートの動作を実行する。この場合、経由地削除操作ボタンとしての第２のスイッチ２４はヘルメット２０に設けられているので、操作は容易に行える。
【００７１】
また、上記動作を実現するナビゲーションプログラムを例えば記憶媒体に記憶させてもよいし、外部のサーバからダウンロードできる形態でユーザに提供してもよい。また、ナビゲーションプログラムを実行することで、上述した各ステップを含むナビゲーション方法の実行も可能になる。
【産業上の利用可能性】
【００７２】
本発明は、出発地から経由地を経て目的地に至るまでの案内経路を探索し、当該案内経路に従って案内情報を出力するナビゲーションシステムとして有用である。
【符号の説明】
【００７３】
１            ナビゲーションシステム
１０ｂ        タッチ操作パネル
１０ｃ        タッチセンサ（入力部）
１０ｄ        表示パネル（表示部）
１４          マイクロコンピュータ（信号処理装置）
１４ｂ        カーナビゲーションサービスアプリケーション
２４          第２のスイッチ（経由地削除操作ボタン）
３４ｃ        経由地削除操作ボタン
【図１】
2020101525.tif 000003
【図２】
2020101525.tif 000004
【図３】
2020101525.tif 000005
【図４】
2020101525.tif 000006
【図５】
2020101525.tif 000007
【図６】
2020101525.tif 000008
【図７】
2020101525.tif 000009